(57)【特許請求の範囲】
【請求項１】
発呼側ファクシミリ装置は、被呼側ファクシミリ装置に対して発呼したときには、上記発呼側ファクシミリ装置の記憶装置に上記被呼側ファクシミリ装置の能力に関する情報が記憶されているか否かを判別する第１ステップ、
第１ステップにおいて上記発呼側ファクシミリ装置の記憶装置に上記被呼側ファクシミリ装置の能力に関する情報が記憶されていないと判別したときには、上記発呼側ファクシミリ装置は、通常の伝送手順によってファクシミリ通信を行った後、実際の伝送速度とファクシミリ通信で得られた上記発呼側ファクシミリ装置の能力とに基づいて、上記被呼側ファクシミリ装置の最高伝送速度でファクシミリ通信が行われたか否かを判別する第２ステップ、
第２ステップにおいて上記被呼側ファクシミリ装置の最高伝送速度でファクシミリ通信が行われたと判別したときのみ、上記発呼側ファクシミリ装置は、第１ステップのファクシミリ通信で得られた上記被呼側ファクシミリ装置の能力に関する第１情報を上記被呼側ファクシミリ装置のダイヤル番号とともに上記記憶手段に記憶させる第３ステップ、
第１ステップにおいて上記発呼側ファクシミリ装置の記憶装置に上記被呼側ファクシミリ装置の能力に関する情報が記憶されていると判別したときには、上記発呼側ファクシミリ装置は、特定手順によってファクシミリ伝送を行う旨を表すトーン信号からなる第１制御信号を上記被呼側ファクシミリ装置に送出する第４ステップ、
上記第１制御信号を上記被呼側ファクシミリ装置が受信すると、上記被呼側ファクシミリ装置は、自己の能力に関する第２情報を上記発呼側ファクシミリ装置に伝えるためのトーン信号からなる第２制御信号を上記発呼側ファクシミリ装置に送出する第５ステップ、  上記第２制御信号を上記発呼側ファクシミリ装置が受信すると、上記発呼側ファクシミリ装置は、上記第２制御信号に基づいて、上記被呼側ファクシミリ装置の能力に関する第２情報と、上記記憶手段に記憶されている上記被呼側ファクシミリ装置の能力に関する第１情報とを比較し、上記被呼側ファクシミリ装置の能力が変更されていない場合には後述する第７ステップに移行し、上記被呼側ファクシミリ装置の能力が変更されている場合には、上記記憶手段に記憶されている上記被呼側ファクシミリ装置の能力に関する第１情報を更新してから後述する第７ステップに移行する第６ステップ、ならびに
上記発呼側ファクシミリ装置は、上記記憶手段に記憶されている上記被呼側ファクシミリ装置の能力に関する第１情報に基づいて送信モードを決定し、ファクシミリメッセージを上記被呼側ファクシミリ装置に送る旨を表すトーン信号からなる第３制御信号を送出した後に、ファクシミリメッセージを上記被呼側ファクシミリ装置に送出する第７ステップ、
を備えているファクシミリ装置の伝送方法。
【請求項２】
上記被呼側ファクシミリ装置の能力に関する第１情報および第２情報が、印字可能な記録紙のサイズの情報および解像度の情報をそれぞれ含んでいることを特徴とする請求項１に記載のファクシミリ装置の伝送方法。
【請求項３】
自己の能力に関する第２情報を上記発呼側ファクシミリ装置に伝えるためのトーン信号からなる第２制御信号は、その周波数によって自己の能力の種類を表すようなトーン信号であることを特徴とする請求項１および２のいずれかに記載のファクシミリ装置の伝送方法。
【請求項４】
ファクシミリメッセージを上記被呼側ファクシミリ装置に送出する際には、実際に送信するファクシミリメッセージの解像度およびファクシミリメッセージを印字すべき記録紙のサイズの情報をも送出することを特徴とする請求項１、２および３のいずれかに記載のファクシミリ装置の伝送方法。
【発明の詳細な説明】
【０００１】
【発明の属する技術分野】
この発明は、ファクシミリ装置の伝送方法に関する。
【０００２】
【従来の技術】
図５は、従来におけるファクシミリ通信手順を示している。
【０００３】
発呼側ファクシミリ装置から被呼側ファクシミリ装置に対する発呼により被呼側ファクシミリ装置が回線に接続されると、被呼側ファクシミリ装置は、非標準機能識別信号（ＮＳＦ）、被呼端末識別信号（ＣＳＩ）およびディジタル識別信号（ＤＩＳ）を送出する。
【０００４】
発呼側ファクシミリ装置は、上記信号を受信した後、送信端末識別信号（ＴＳＩ）およびディジタル命令信号（ＤＣＳ）を送出する。また、発呼側ファクシミリ装置は、この後、トレーニング信号およびトレーニングチェック信号（ＴＣＦ）を送出する。
【０００５】
被呼側ファクシミリ装置は、高速モデムの調整が完了すると、受信準備確認信号（ＣＦＲ）を送出する。発呼側ファクシミリ装置は、受信準備確認信号（ＣＦＲ）を受信すると、トレーニング信号に続けて、符号化されたファクシミリメッセージを送出する。
【０００６】
発呼側ファクシミリ装置は、全てのファクシミリメッセージを送出すると、手順終了信号（ＥＯＰ）を送出する。被呼側ファクシミリ装置は、手順終了信号（ＥＯＰ）を受信すると、メッセージ確認信号（ＭＣＦ）を送出する。発呼側ファクシミリ装置は、メッセージ確認信号（ＭＣＦ）を受信すると、切断命令信号（ＤＣＮ）を送出する。
【０００７】
【発明が解決しようとする課題】
ファクシミリ装置の通信時間は、画像伝送時間と伝送制御手順時間とに大別される。画像伝送時間については、高圧縮率符号化と伝送速度の高速化の実現によって、大幅に短縮されてきており、Ａ４版標準原稿１枚の画像を６秒で伝送することができるようになってきている。ところが、伝送制御手順時間の方は、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ：  国際電気通信連合    電気通信標準化部門）のＴ．３０の手順に従っているため、通信前後の手順を合わせると、１５〜３０秒程度かかっている。
【０００８】
この発明は、伝送制御手順時間の短縮化が図れるとともに、印字可能な記録紙のサイズ、解像度等の被呼側ファクシミリ装置の能力が変更された場合にも、被呼側ファクシミリ装置の能力に応じたファクシミリメッセージの送信が行なえるファクシミリ装置の伝送方法を提供することを目的とする。
【０００９】
【課題を解決するための手段】
この発明によるファクシミリ装置の伝送方法は、発呼側ファクシミリ装置は、被呼側ファクシミリ装置に対して発呼したときには、上記発呼側ファクシミリ装置の記憶装置に上記被呼側ファクシミリ装置の能力に関する情報が記憶されているか否かを判別する第１ステップ、第１ステップにおいて上記発呼側ファクシミリ装置の記憶装置に上記被呼側ファクシミリ装置の能力に関する情報が記憶されていないと判別したときには、上記発呼側ファクシミリ装置は、通常の伝送手順によってファクシミリ通信を行った後、実際の伝送速度とファクシミリ通信で得られた上記発呼側ファクシミリ装置の能力とに基づいて、上記被呼側ファクシミリ装置の最高伝送速度でファクシミリ通信が行われたか否かを判別する第２ステップ、第２ステップにおいて上記被呼側ファクシミリ装置の最高伝送速度でファクシミリ通信が行われたと判別したときのみ、上記発呼側ファクシミリ装置は、第１ステップのファクシミリ通信で得られた上記被呼側ファクシミリ装置の能力に関する第１情報を上記被呼側ファクシミリ装置のダイヤル番号とともに上記記憶手段に記憶させる第３ステップ、第１ステップにおいて上記発呼側ファクシミリ装置の記憶装置に上記被呼側ファクシミリ装置の能力に関する情報が記憶されていると判別したときには、上記発呼側ファクシミリ装置は、特定手順によってファクシミリ伝送を行う旨を表すトーン信号からなる第１制御信号を上記被呼側ファクシミリ装置に送出する第４ステップ、上記第１制御信号を上記被呼側ファクシミリ装置が受信すると、上記被呼側ファクシミリ装置は、自己の能力に関する第２情報を上記発呼側ファクシミリ装置に伝えるためのトーン信号からなる第２制御信号を上記発呼側ファクシミリ装置に送出する第５ステップ、上記第２制御信号を上記発呼側ファクシミリ装置が受信すると、上記発呼側ファクシミリ装置は、上記第２制御信号に基づいて、上記被呼側ファクシミリ装置の能力に関する第２情報と、上記記憶手段に記憶されている上記被呼側ファクシミリ装置の能力に関する第１情報とを比較し、上記被呼側ファクシミリ装置の能力が変更されていない場合には後述する第７ステップに移行し、上記被呼側ファクシミリ装置の能力が変更されている場合には、上記記憶手段に記憶されている上記被呼側ファクシミリ装置の能力に関する第１情報を更新してから後述する第７ステップに移行する第６ステップ、ならびに上記発呼側ファクシミリ装置は、上記記憶手段に記憶されている上記被呼側ファクシミリ装置の能力に関する第１情報に基づいて送信モードを決定し、ファクシミリメッセージを上記被呼側ファクシミリ装置に送る旨を表すトーン信号からなる第３制御信号を送出した後に、ファクシミリメッセージを上記被呼側ファクシミリ装置に送出する第７ステップを備えていることを特徴とする。
【００１０】
上記被呼側ファクシミリ装置の能力に関する第１情報および第２情報は、たとえば、印字可能な記録紙のサイズの情報および解像度の情報をそれぞれ含んでいる。自己の能力に関する第２情報を上記発呼側ファクシミリ装置に伝えるためのトーン信号からなる第２制御信号としては、たとえば、その周波数によって自己の能力の種類を表すようなトーン信号が用いられる。ファクシミリメッセージを上記被呼側ファクシミリ装置に送出する際には、実際に送信するファクシミリメッセージの解像度およびファクシミリメッセージを印字すべき記録紙のサイズの情報をも送出することが好ましい。
【００１１】
【発明の実施の形態】
以下、図面を参照して、この発明の実施の形態について、説明する。
【００１２】
図１は、ファクシミリ装置の概略構成を示している。
【００１３】
ファクシミリ装置は、マイクロコンピュータ等から構成される制御部１によって制御される。ファクシミリ装置は、制御部１の入出力装置として、原稿画像を読み取る読取部２、受信画像を記録紙に記録する記録部３、ワンタッチダイヤル、短縮ダイヤルを含むダイヤル入力操作を行うための操作部４、各種情報が記憶されるメモリ５、プログラマブルトーン送出および検出機能を備えているファクシミリモデム６および回路網の制御を行う網制御部（ＮＣＵ）７を備えている。
【００１４】
図２は、上記のような構成を有する２つのファクシミリ装置間の伝送手順を示している。図２において括弧付き番号は、シーケンス番号を示している。
【００１５】
図２は、通常方式のファクシミリ通信において、被呼側ファクシミリ装置の最高伝送速度で、ファクシミリ通信が行えたことのある被呼側ファクシミリ装置に対して、当該発呼側ファクシミリ装置がファクシミリ送信を行なう場合の伝送手順を示している。
【００１６】
なお、上記通常方式のファクシミリ通信において被呼側ファクシミリ装置の最高伝送速度で、ファクシミリ通信が行えた場合には、発呼側ファクシミリ装置は、当該被呼側ファクシミリ装置から受信したディジタル識別信号（ＤＩＳ：Ｄｉｇｉｔａｌ  Ｉｄｅｎｔｉｆｉｃａｔｉｏｎ  Ｓｉｇｎａｌ）に基づいて、当該被呼側ファクシミリ装置に関する情報をメモリ５に記憶する。被呼側ファクシミリ装置に関する情報には、被呼側ファクシミリ装置の電話番号、被呼側ファクシミリ装置の能力に関する情報（たとえば、印字可能な記録紙のサイズ、解像度、伝送速度）等がある。
【００１７】
発呼側ファクシミリ装置から被呼側ファクシミリ装置に対する発呼が行われるとともに（シーケンスＮＯ．１）、トーン手順により通信を行なう旨を伝えるトーン信号（  第１制御信号）  を被呼側ファクシミリ装置に送信する（シーケンスＮＯ．２）。
【００１８】
回線が接続され、被呼側ファクシミリ装置が第１制御信号を受信すると、被呼側ファクシミリ装置は、現在の被呼側ファクシミリ装置の能力に関する情報を伝えるトーン信号（  第２制御信号）  を送出する（シーケンスＮＯ．３）。
【００１９】
第２制御信号によって伝えられる被呼側ファクシミリ装置の能力に関する情報としては、印字可能な記録紙のサイズおよび解像度がある。また、これらの能力は、第２制御信号の周波数によって表される。第２制御信号と被呼側ファクシミリ装置の能力との関係は、たとえば次のように設定されている。
【００２０】
（１）記録紙のサイズと、第２制御信号の周波数との関係
（ａ）Ａ３／Ｂ４／Ａ４の記録紙に印字可能な場合    ６００Ｈｚの第２制御信号
（ｂ）Ｂ４／Ａ４の記録紙に印字可能な場合          ７００Ｈｚの第２制御信号
（ｃ）Ａ４の記録紙に印字可能な場合                ８００Ｈｚの第２制御信号
【００２１】
（２）解像度と、第２制御信号の周波数との関係
（ａ）解像度がノーマルモードである場合            ９００Ｈｚの第２制御信号
（ｂ）解像度がファインモードである場合          １０００Ｈｚの第２制御信号
（ｃ）解像度がスーパーファインモードである場合  １１００Ｈｚの第２制御信号
（ｄ）解像度がウルトラファインモードである場合  １２００Ｈｚの第２制御信号
【００２２】
ノーマルモードの解像度が最も低く、ファインモード、スーパーファイン、ウルトラファインモードとなるにしたがって解像度が高くなるものとする。
【００２３】
記録紙のサイズと解像度との両方の能力を伝えるときには、２種類の周波数からなるトーン信号が重畳された第２制御信号が送信される。たとえば、被呼側ファクシミリ装置がＡ３／Ｂ４／Ａ４の記録紙に印字可能な能力を有しかつ解像度としてスーパーファインモードの能力を有している場合には、６００Ｈｚのトーン信号と、１１００Ｈｚのトーン信号とが重畳された第２制御信号が送信される。
【００２４】
発呼側ファクシミリ装置は、第２制御信号を受信すると、メモリ５に記憶している当該被呼側ファクシミリ装置に関する情報と、第２制御信号の内容とを比較し、当該被呼側ファクシミリ装置の能力に関して変更があった場合にはメモリ５の内容を更新する。
【００２５】
そして、メモリ５の内容に基づいて、被呼側ファクシミリ装置の能力に応じた送信モードを決定し、ファクシミリメッセージを送る旨を表すトーン信号（  第３制御信号）  を送出する（シーケンスＮＯ．４）。
【００２６】
この後、実際に送信する画像の解像度、印字すべき記録紙のサイズ等といったディジタル命令信号（ＤＣＳ：Ｄｉｇｉｔａｌ  Ｃｏｍｍａｎｄ  Ｓｉｇｎａｌ）の内容とともに、画像データ等のファクシミリメッセージを送出する（シーケンスＮＯ．５）。
【００２７】
発呼側ファクシミリ装置は、全てのファクシミリメッセージを送出すると、手順終了信号（ＥＯＰ）を送出する（シーケンスＮＯ．６）。被呼側ファクシミリ装置は、手順終了信号（ＥＯＰ）を受信すると、メッセージ確認信号（ＭＣＦ）を送出する（シーケンスＮＯ．７）。発呼側ファクシミリ装置は、メッセージ確認信号（ＭＣＦ）を受信すると、切断命令信号（ＤＣＮ）を送出する（シーケンスＮＯ．８）。
【００２８】
図３および図４は、発呼側ファクシミリ装置の制御部１による伝送処理手順を示している。
【００２９】
この実施の形態による特定手順を用いてファクシミリ通信を行う場合には、図２の伝送手順から明らかなように、発呼側ファクシミリ装置と被呼側ファクシミリ装置との間で、伝送速度のチェックは行われない。したがって、あるファクシミリ装置に対して初めて発呼したときには、従来方式でファクシミリ通信が行われ、被呼側ファクシミリ装置の最高伝送速度で、ファクシミリ通信が行えたものについては、その被呼側ファクシミリ装置からのディジタル識別信号（ＤＩＳ：Ｄｉｇｉｔａｌ  Ｉｄｅｎｔｉｆｉｃａｔｉｏｎ  Ｓｉｇｎａｌ）に基づいて、当該被呼側ファクシミリ装置に関する情報がメモリ５に記憶される。
【００３０】
そして、ダイヤル番号がメモリ５に記憶されているファクシミリ装置に対して発呼する場合に、この実施の形態による特定手順を用いたファクシミリ通信が行われる。
【００３１】
以下、発呼側ファクシミリ装置の制御部１による伝送処理手順を詳細に説明する。
【００３２】
まず、操作部４からダイヤル入力があると（ステップ１）、発呼が行われる（ステップ２）。また、入力されたダイヤル番号がメモリ５に記憶されているか否かが判別される（ステップ３）。
【００３３】
ダイヤル番号がメモリ５に記憶されていない場合には、従来通りの伝送制御手順（図５参照）によってファクシミリ通信が行われる（ステップ４）。そして、ファクシミリ通信が終了すると（ステップ５）、被呼側ファクシミリ装置の最高伝送速度で、ファクシミリ通信が行えたか否かが判別される（ステップ６）。この判別は、前手順のトレーニングチェックの結果に基づいて行われる。
【００３４】
被呼側ファクシミリ装置の最高伝送速度で、ファクシミリ通信が行えなかったときには、ステップ１に戻り、ダイヤル入力待機状態となる。被呼側ファクシミリ装置の最高伝送速度で、ファクシミリ通信が行えたときには、被呼側ファクシミリ装置に関する情報（被呼側ファクシミリ装置の電話番号、被呼側ファクシミリ装置の能力に関する情報等）がメモリ５に記憶された後（ステップ７）、ステップ１に戻り、ダイヤル入力待機状態となる。
【００３５】
上記ステップ３でダイヤル番号がメモリ５に記憶されていると判別された場合には、トーン手順により通信を行なう旨を伝えるトーン信号（第１制御信号）が所定時間（たとえば５００ｍｓｅｃ）の間送出される（ステップ８）。被呼側ファクシミリ装置は、第１制御信号を受信すると、被呼側ファクシミリ装置の能力に関する情報を表すトーン信号（第２制御信号）を所定時間（たとえば６００ｍｓｅｃ）の間送出する。
【００３６】
上記ステップ８で第１制御信号が送出された後、所定時間（たとえば１ｓｅｃ）内に、被呼側ファクシミリ装置の能力に関する情報を伝えるトーン信号（第２制御信号）が検出されないときには（ステップ９）、再度ステップ８に戻って第１制御信号が所定時間の間、送出される。このようにして、第１制御信号が繰り返して送出されても、上記ステップ８で第１制御信号が最初に送出されてから所定時間（たとえば３ｓｅｃ）が経過するまでに、第２制御信号が検出されないときには（ステップ１０でＹＥＳ）、通信エラーが発生した旨が操作部４に設けられた表示器に表示された後（ステップ１２）、ステップ１に移ってダイヤル入力待機状態となる。
【００３７】
上記ステップ９において、第２制御信号が検出されたときには、メモリ５に記憶している当該被呼側ファクシミリ装置に関する情報と、第２制御信号によって表される内容とが比較され（ステップ１３）、当該被呼側ファクシミリ装置の能力に関して変更があった場合にはメモリ５の内容が更新せしめられる（ステップ１４）。
【００３８】
そして、メモリ５の内容に基づいて、被呼側ファクシミリ装置の能力に応じた送信モードが決定され（ステップ１５）、ファクシミリメッセージを送る旨を表すトーン信号（第３制御信号）が所定時間（たとえば２００ｍｓｅｃ）の間、送出される（ステップ１６）。
【００３９】
第３制御信号が送出された後、所定時間（たとえば２００ｍｓｅｃ）が経過すると（ステップ１７）、ファクシミリメッセージが、実際に送信する画像の解像度、記録紙のサイズ等といったディジタル命令信号（ＤＣＳ）の内容とともに、送出される（ステップ１８）。
【００４０】
そして、全てのファクシミリメッセージが送出されると（ステップ１９）、手順終了信号（ＥＯＰ）が送出される（ステップ２０）。被呼側ファクシミリ装置は、手順終了信号（ＥＯＰ）を受信すると、メッセージ確認信号（ＭＣＦ）を送出する。メッセージ確認信号（ＭＣＦ）を受信すると（ステップ２１）、切断命令信号（ＤＣＮ）が送出された後（ステップ２２）、ステップ１に移ってダイヤル入力待機状態となる。
【００４１】
上記実施の形態によれば、ファクシミリ伝送制御手順の前手順が、トーン信号からなる３つの制御信号によって実行されているので、ファクシミリ伝送制御手順時間の短縮化が図れる。また、被呼側ファクシミリ装置からは、被呼側ファクシミリ装置の能力に関する情報を伝えるトーン信号（第２制御信号）が発呼側ファクシミリ装置に送られ、発呼側ファクシミリ装置はこの第２制御信号に基づいてメモリ５に記憶されている当該被呼側ファクシミリ装置の能力に関する情報を更新することができるので、被呼側ファクシミリ装置の能力が変更された場合にも、被呼側ファクシミリ装置の能力に応じたファクシミリメッセージの送信が行なえるようになる。
【００４２】
上記実施の形態では、被呼側ファクシミリ装置の能力に関する情報を伝えるトーン信号（第２制御信号）として、その周波数によって自己の能力の種類を表すようなトーン信号が用いられているが、トーン信号の休止期間の長さによって自己の能力の種類を表すようなトーン信号を用いてもよい。
【００４３】
【発明の効果】
この発明によれば、伝送制御手順時間の短縮化を図ることができる。また、印字可能な記録紙のサイズ、解像度等の被呼側ファクシミリ装置の能力が変更された場合にも、被呼側ファクシミリ装置の能力に応じたファクシミリメッセージの送信が行なえるようになる。
【図面の簡単な説明】
【図１】ファクシミリ装置の概略構成を示す電気ブロック図である。
【図２】ファクシミリ装置の伝送手順を示すシーケンス図である。
【図３】発呼側ファクシミリ装置の制御部１による伝送処理手順の一部分を示すフローチャートである。
【図４】発呼側ファクシミリ装置の制御部１による伝送処理手順の他の部分を示すフローチャートである。
【図５】従来のファクシミリ装置の伝送制御手順を示すシーケンス図である。
【符号の説明】
１  制御部
２  読取部
３  記録部
４  操作部
５  メモリ
６  ファクシミリモデム
７  ＮＣＵ
【図１】
0003561385.tif 000002
【図２】
0003561385.tif 000003
【図３】
0003561385.tif 000004
【図４】
0003561385.tif 000005
【図５】
0003561385.tif 000006